(57)【要約】  【課題】  天然の風合いと吸湿性を有し、芳香、抗菌等の特殊な機能が付与され、湿潤時にその機能が顕著に発揮される糸、布帛及びその製造方法を提供しようとする。  【解決手段】  吸水膨潤性を有する高分子の層で表面の少なくとも一部が被覆された繊維、を含んで成る糸や布帛であって、前記層が芳香剤、抗菌剤、殺菌剤、抗カビ剤、保湿剤、生理的薬剤、タンパク質、多糖類から選択される添加物を含有する機能糸や機能布帛であり、前記層がマンナンを主成分とする前記機能糸や機能布帛である。  【選択図】  図１
2005281934.tif 000002
【特許請求の範囲】
【請求項１】
吸水膨潤性を有する高分子の層で表面の少なくとも一部が被覆された繊維、を含んで成る糸であって、
前記層が芳香剤、抗菌剤、殺菌剤、抗カビ剤、保湿剤、生理的薬剤、タンパク質、多糖類から選択される添加物を含有する機能糸。
【請求項２】
前記層がマンナンを主成分とする請求項１に記載の機能糸。
【請求項３】
前記層が水溶性糊材及びアクリル系接着剤組成物から成る高分子の層である請求項１に記載の機能糸の製造方法。
【請求項４】
吸水膨潤性を有する高分子の層で表面の少なくとも一部が被覆された繊維、を含んで成る布帛であって、
前記層が芳香剤、抗菌剤、殺菌剤、抗カビ剤、保湿剤、生理的薬剤、タンパク質、多糖類から選択される添加物を含有する機能布帛。
【請求項５】
請求項１乃至３のいずれかに記載の糸を含む糸群を素材糸として、該素材糸から形成された請求項４に記載の機能布帛。
【請求項６】
糸を準備する工程、
芳香剤、抗菌剤、殺菌剤、抗カビ剤、保湿剤、生理的薬剤、タンパク質、多糖類から選択される添加物を含有する、吸水膨潤性を有する高分子の組成物の水溶液を準備する工程、
前記糸に該水溶液を含浸又は付着させる付着工程、
該付着工程により該糸を構成する繊維表面に付与された前記組成物を固化する固化工程、
該糸を乾燥する乾燥工程
を含む機能糸の製造方法。
【請求項７】
前記組成物がマンナンを含む請求項６に記載の機能糸の製造方法。
【請求項８】
前記組成物が水溶性糊材及びアクリル系接着剤組成物を含む請求項６に記載の機能糸の製造方法。
【請求項９】
布帛を準備する工程、
芳香剤、抗菌剤、殺菌剤、抗カビ剤、保湿剤、生理的薬剤、タンパク質、多糖類から選択される添加物を含有する、吸水膨潤性を有する高分子の組成物の水溶液を準備する工程、
前記布帛に該水溶液を含浸又は付着させる付着工程、
該付着工程により該布帛を構成する繊維表面に付与された前記組成物を固化する固化工程、
該布帛を乾燥する乾燥工程
を含む機能布帛の製造方法。
【請求項１０】
前記組成物がマンナンを含む請求項９に記載の機能布帛の製造方法。
【発明の詳細な説明】
【技術分野】
【０００１】
本発明は、芳香等特殊な機能を有する機能糸及びその製造方法に関する。
【背景技術】
【０００２】
従来、編織物等の布帛に、芳香、抗菌等の特殊な機能を付与するために、この機能を有する微粒子や薬品を、構成繊維の原料樹脂に混入させ、その樹脂から紡糸された繊維を用いた糸を製布することが行なわれた。（例えば、特許文献１参照。）
【０００３】
しかし、この方式は、混入させる粒子が紡糸ノズルを詰まらせないように粒子の径を数μｍ以下のきわめて微細にする必要があり、粒子の製造に多大の手間とコストがかかる。混入させる微粒子や薬品が天然物である場合は特に、紡糸時の温度や使用される薬液の影響でその微粒子や薬品が分解あるいは変質するおそれがあり、最適な製造条件の設定がきわめて難しい。
【０００４】
あるいは、樹脂加工用の接着剤樹脂にこの機能を有する微粒子や薬品を混入させて、布帛を樹脂加工し、この樹脂を介してその微粒子や薬品をその布帛の構成繊維に担持させることが行なわれた。（例えば、特許文献２、３参照。）
【０００５】
しかし、この方式は、糸の加工に適用することが工業的には難しい。又、接着剤樹脂として合成高分子が使用されるので、加工で得られた糸や布帛の天然の触感が失われる、あるいは、吸湿性が損なわれるおそれがある。又、混入させる微粒子や薬品が天然物である場合は、その合成高分子が混入させた微粒子や薬品の機能を損なうおそれがある。
【特許文献１】特開平１１−１００７１３号公報（特許請求の範囲）
【特許文献２】特開２００４−６８１７３号公報（特許請求の範囲）
【特許文献３】特開２０００−１７８８７３号公報（特許請求の範囲）
【発明の開示】
【発明が解決しようとする課題】
【０００６】
本発明の目的は、天然の風合いと吸湿性を有し、芳香、抗菌等の特殊な機能が付与された糸及びその製造方法を提供することにある。
【課題を解決するための手段】
【０００７】
本発明の要旨とするところは、吸水膨潤性を有する高分子の層で表面の少なくとも一部が被覆された繊維、を含んで成る糸であって、
前記層が芳香剤、抗菌剤、殺菌剤、抗カビ剤、保湿剤、生理的薬剤、タンパク質、多糖類から選択される添加物を含有する機能糸であることにある。
【０００８】
前記機能糸においては、前記層は、マンナンを主成分とし得る。
【０００９】
前記機能糸においては、前記層は水溶性糊材及びアクリル系接着剤組成物から成る高分子の層で有り得る。
【００１０】
又、本発明の要旨とするところは、吸水膨潤性を有する高分子の層で表面の少なくとも一部が被覆された繊維、を含んで成る布帛であって、
前記層が芳香剤、抗菌剤、殺菌剤、抗カビ剤、保湿剤、生理的薬剤、タンパク質、多糖類から選択される添加物を含有する機能布帛であることにある。
【００１１】
前記機能布帛においては、前記層は、マンナンを主成分とし得る。
【００１２】
更に、本発明の要旨とするところは、前記機能糸を含む糸群を素材糸として、該素材糸から形成された前記機能布帛であることにある。
【００１３】
又、本発明の要旨とするところは、
糸を準備する工程、
芳香剤、抗菌剤、殺菌剤、抗カビ剤、保湿剤、生理的薬剤、タンパク質、多糖類から選択される添加物を含有する、吸水膨潤性を有する高分子の組成物の水溶液を準備する工程、
前記糸に該水溶液を含浸又は付着させる付着工程、
該付着工程により該糸を構成する繊維表面に付与された前記組成物を固化する固化工程、
該糸を乾燥する乾燥工程
を含む機能糸の製造方法であることにある。
【００１４】
前記機能糸の製造方法においては、前記組成物がマンナンを含み得る。
【００１５】
前記機能糸の製造方法においては、前記組成物が水溶性糊材及びアクリル系接着剤組成物を含み得る。
【００１６】
又、本発明の要旨とするところは、
布帛を準備する工程、
芳香剤、抗菌剤、殺菌剤、抗カビ剤、保湿剤、生理的薬剤、タンパク質、多糖類から選択される添加物を含有する、吸水膨潤性を有する高分子の組成物の水溶液を準備する工程、
前記布帛に該水溶液を含浸又は付着させる付着工程、
該付着工程により該布帛を構成する繊維表面に付与された前記組成物を固化する固化工程、
該布帛を乾燥する乾燥工程
を含む機能布帛の製造方法であることにある。
【００１７】
前記機能布帛の製造方法においては、前記組成物がマンナンを含み得る。
【００１８】
前記機能布帛の製造方法においては、前記組成物が水溶性糊材及びアクリル系接着剤組成物を含み得る。
【発明の効果】
【００１９】
本発明によると、天然の風合いと吸湿性を有し、芳香、抗菌等の特殊な機能が付与された機能糸及びその製造方法を提供される。更に、天然の風合いと吸湿性を有し、芳香、抗菌等の特殊な機能が付与された機能布帛及びその製造方法を提供される。
【００２０】
本発明によると、ベースの糸や布帛として綿のような天然繊維から成るものを用いることにより、その糸や布帛更に天然物の特殊な機能が付与された、天然の風合いと吸湿性を有し、芳香、抗菌等の特殊な機能を備え、かつ合成高分子から成る接着剤のような合成物を殆んど含まない、機能糸及び機能布帛が提供される。
【００２１】
本発明の機能糸及び機能布帛は、構成繊維の表面に形成されたマンナンを主成分とする層が水分を吸収する能力があるので、従来の糸や布帛に比べて水分を吸収する能力が高い。かつ、その層に水分が吸収されるときに、担持している機能性粒子や機能性物質が外部に放出されるので、担持している機能性粒子や機能性物質の機能が外部に対して充分に発揮される。
【発明を実施するための最良の形態】
【００２２】
本発明の機能糸の実施形態について、図面を使用して説明する。本発明の機能糸は、図１に示す機能繊維２を含む繊維束から構成される。機能繊維２は、ベース繊維４の表面にマンナン（グルコマンナン）を主成分とする層（以下マンナン層とも称する）６が形成されて成る。層６を構成するマンナンにはセリシンのような機能性粒子８が混入されている。あるいは、本発明の機能糸は、図２に示す機能繊維２ａを含む繊維束から構成される。機能繊維２ａは、ベース繊維４の表面にマンナン（グルコマンナン）を主成分とする層６ａが形成されて成る。マンナン層６ａを構成するマンナンには香料のような機能性物質が混入されている。
【００２３】
ベースの糸を、マンナンを主成分とし機能性粒子又は機能性物質が添加された水溶液に浸漬し所定のしぼり率でしぼって、その糸を構成する繊維の表面にその水溶液を付着させる。この水溶液をベースの糸に噴霧して繊維の表面に付着させてもよい。次いで、その付着させた水溶液に含まれるマンナンを固化させ、ついで固化したマンナンを糸とともに乾燥して本発明の機能糸が得られる。
【００２４】
マンナンの固化は、構成繊維の表面にその水溶液が付着している糸を水酸化カルシウム水溶液のようなアルカリ性の液に浸漬することにより行なわれる。あるいは、予め、マンナンを主成分とし機能性粒子又は機能性物質が添加された水溶液にキサンタンを混合し、ベースの糸を、その水溶液に浸漬し所定のしぼり率でしぼったのちその糸を乾燥することにより水溶液に含まれるマンナンを固化させてもよい。
【００２５】
又、マンナンを主成分とし機能性粒子又は機能性物質が添加された水溶液にトリクロル酢酸ソーダのような、常温でアルカリ性を呈さず、例えば９０℃以上の温度でアルカリ性を呈する有機塩から成る薬剤を混合しておき、ベースの糸を、その水溶液に浸漬し所定のしぼり率でしぼったのちその糸を乾燥することにより水溶液に含まれるマンナンを固化させてもよい。
【００２６】
マンナン層に含有させる機能性粒子としては、芳香剤、抗菌剤、殺菌剤、保湿剤、生理的薬剤、タンパク質、多糖類挙げられる。具体的には、セリシン、キトサン、フィブロイン、コラーゲン等の物質を主成分とする粒子が挙げられる。これらの粒子は、これらの物質を粉砕機等の機械的手段により粉砕して得ることが出来る。又、香料等の機能性薬剤を封入あるいは吸収させたマイクロカプセルが挙げられる。
【００２７】
マンナン層に含有させる機能性物質としては、芳香剤、抗菌剤、抗カビ剤、殺菌剤、保湿剤、生理的薬剤、タンパク質、多糖類が挙げられる。具体的には、天然香料、ヒアルロン酸のような保湿性液、アスコルビン酸のような脱臭剤、芳香剤、抗菌性薬剤、殺菌機能を有する薬剤、水虫薬のような薬剤、メントールのような刺激剤が挙げられる。
芳香剤としては、特に限定されないが、天然香料、人造香料のいずれも用いられる。天然香料としては植物から採集される精油が使用できる。合成香料としてはテルペン化合物及びその誘導体が挙げられる。天然精油の主なものとしてはショウノウ油、カツシア油、ボワドローズ油、チョウジ油、ユーカリ油、セダー油、ビャクダン油、ダイウイキヨウ油、イランイラン油、レモン油、オレンジ油、ベルガモット油、ラベンダー油、パツチュリ油、シトロネラ油、レモングラス油、ベチバ油、バラ油、ゼラニウム油、ハッカ油、ホウショウ葉油などが挙げられる。合成香料の主なものとしてはバニリン、サリチル酸メチル、シンナミルアルデヒド、β−フェニルエチルアルコール、オキシトロネラール、フェニルアセトアルデヒド、ピペロナールなどが挙げられる。一般的にはこれらの香料は数種あるいは数十種混合して用いられる。
【００２８】
抗菌剤、抗カビ剤としては、特に限定されないが、ＰＣＭＸ（パラクロロメタキシレノール）、デヒドロジエチルアミンペンタクロロフェノール、４−クロロ−２−フェニルフェノール、２，４，５，６−テトラクロロ−イソ−フタロニトリル、ビス（トリ−ｎ−ブチルスズ）オキサイド、トリブチルスズラウレート、ジンク−２−ピリジンチオール−１−オキシド、１０，１０’−オキシビスフェノキシアルシン、２−（４−チアゾリル）ベンズイミダゾール、２−ベンズイミダゾリルカルバミン酸メチル、１−（ブチルカルバモイル）−２−ベンズイミダゾールカルバミン酸メチル、５−ブチル２−ベンズイミダゾールカルバミン酸メチル等が挙げられる。
【００２９】
殺菌剤としては、特に限定されないが、３−メチル−４−イソプロピルフェノール（３Ｍ４Ｐ）、チモール、ｐ−オキシ安息香酸アルキルエステル(アルキルはメチル、エチル、ｎ−およびｉｓｏ−プロピル、ｎ−およびｓｅｃ−またはｔｅｒ−ブチル、ペンチル等)、グルセリンモノ脂肪酸エステル(脂肪酸はカブリル酸、カブリン酸、ラウリン酸等)、２−(４−チアゾリル)−ベンズイミダゾール(ＴＢＺ)、２−メトキシカルボニルアミノベンズイミダゾール(ＭＢＣ)、２−メトキシカルボニルアミノベンズイミダゾール、４′−ｎ−ドデシルベンゼンスルホン酸塩(ＭＢＣ−Ｓ)、１０，１０´−オキシビスフェノキシアルシン、８−オキシキノリン銅、キャプタン、ダイホルタン等が挙げられる。
【００３０】
保湿剤としては、特に限定されないが、桑白皮抽出物、ハチミツ、米ヌカ抽出物、モモ抽出物、セリ科植物抽出物等の植物由来の保湿剤、ヒアルロン酸及びその塩、エチレングリコール、グリセリン、ポリグリセリン、ヒアルロン酸、コウジ酸、タウリン、ベタイン、リノール酸モノグリセリド、等が挙げられる。
【００３１】
生理的薬剤としては、特に限定されないが、アミノフィリン、テオフィリン、カフェイン及びこれらの塩からなる群より選択されるキサンチン誘導体、アルギン酸メチルシラノールエステル、海藻抽出物、ヒバマタ抽出物、ユキノシタ抽出物、ブクリョウ抽出物、スギナ抽出物、ダイダイ抽出物、等の脂肪分解促進剤や、酸化亜鉛、塩化ナトリウム水溶液、緑茶抽出物、クレマチス抽出物、ホップ抽出物、ゲンノショウコ抽出物等の植物抽出物、等の収斂剤や、サンショウ抽出物、ゲンチアナ抽出物、芥子抽出物、唐辛子抽出物、生姜抽出物、オタネニンジン抽出物、イチョウ抽出物、アルニカ抽出物、紅花抽出物、センブリ抽出物、メリロート抽出物、セイヨウトチノキ抽出物、カンフル及びその誘導体、ヒノキチオール及びその誘導体並びにそれらの塩、トコフェロール及びその誘導体、ニコチン酸及びその誘導体並びにそれらの塩、γ−オリザノール及びその誘導体、バニリルブチルエーテル、炭酸水素ナトリウム等の血行促進剤が挙げられる。
【００３２】
マンナン層を構成するマンナンの量は繊維の重量に対して1〜３０重量％であることが好ましい。マンナン層に含有させる機能性粒子の量はマンナンの重量に対して1〜２０重量％であることが好ましい。マンナン層に含有させる機能性物質が薬液である場合、その量は、マンナンの重量に対して０．1〜１０重量％であることが好ましい。
【００３３】
ベースの糸は、スパン糸、フィラメント糸、両者の複合糸のいずれであってもよいが、スパン糸のようにかさだかでケバを有することが、機能糸の機能がより有効に発揮されて好ましい。
【００３４】
ベースの糸を構成する繊維は、天然繊維、合成繊維、再生繊維、半合成繊維のいずれであってもよく、ベースの糸は、これらのうちの複数種が複合された糸であってもよい。ベースの糸を構成する繊維が天然繊維であることがマンナン層と強固な結合が得られ製品の耐久性が良好で、かつ、より天然製品の風合いが得られ好ましい。ベースの糸が綿繊維から成ることが最も好ましい。
【００３５】
本発明の機能糸を、製布工程により製布し、所定の布帛製品とすることにより、機能性布帛が得られる。製布工程としては、製織、製編、タフティング等が挙げられる。
【００３６】
本発明においては、ベースの布帛を用意し、この布帛を、マンナンを主成分とし機能性粒子又は機能性物質が添加された水溶液に浸漬し所定のしぼり率でしぼって、その布帛を構成する繊維の表面にその水溶液を付着させたのち、その付着させた水溶液に含まれるマンナンを固化させ、ついで固化したマンナンを布帛とともに乾燥して機能性布帛を得てもよい。マンナンを固化させる方法は、機能糸の製造におけるマンナンを固化させる上記の方法に準じて行なわれる。ベースの布帛は、織物、編物、組み物、不織布、立毛シート、ネットのいずれであってもよい。
【００３７】
本発明の機能性糸から得られる機能性布帛、ベースの布帛を加工して得られる機能性布帛は、深みのある天然製品の風合いと、落ち着いた光沢と、不快なヌメリ感のないサラリとした独特の風合いを兼ね備える。加えて、この機能性布帛は、マンナン層を介して構成繊維に担持された機能性粒子あるいは機能性物質が、マンナン層が吸水あるいは吸湿により膨潤したときに外部に放出されるので、従来のように機能性粒子あるいは機能性物質が接着剤層を介して構成繊維に担持されたままである場合、あるいは大半が接着剤層や繊維の内部に埋没した状態のものに比べて、その機能が外部に対して効率よく発揮される。
【００３８】
このような本発明の効果を活用して、本発明の機能性糸から得られる機能性布帛、ベースの布帛を加工して得られる機能性布帛は、タオル、おしぼり、美顔用のパックシートに好適に適用される。
【００３９】
本発明の機能性糸を房糸として織り込んだタオルは、不快なヌメリ感のないサラリとした感触を有するのみならず、使用時に湿潤すると構成繊維に担持された機能性粒子あるいは機能性物質が外部に放出される。機能性粒子がキトサン粒子であれば、抗菌性がタオル地に対してのみならず、タオルに触れた肌等の対象物に対しても効果的に発揮される。
【００４０】
本発明の機能性糸から得られる機能性布帛、ベースの布帛を加工して得られる機能性布帛を用いたパックシートは、スキンケア成分を機能性物質あるいは機能性粒子としてマンナン層に担持させることが出来る。これにより、例えば、機能性物質としてヒアルロン酸のような保湿剤が用いられたり、機能性粒子としてコラーゲンやセリシンやフィブロインが用いられると、そのパックシートを濡らして顔面にパックすることにより、これらの機能性物質や機能性粒子がマンナン層から放出されて、肌に効果的に作用する。
【００４１】
ベースの糸の構成繊維表面にマンナン層を形成する装置として、通常の織物工程用の糊付け工程に使用する糊付け装置を用いることが出来る。この装置としては、かせ糊付けを行なう装置、各ヘッドごとに糸を通過させる一本糊付けの装置、スラッシャーサイジング機、テープサイジング機等が挙げられる。
【００４２】
ベースの布帛を加工して構成繊維表面にマンナン層を形成する装置として、通常の編織物の樹脂加工装置を用いることが出来る。
【００４３】
マンナン層を形成するためのマンナンを主成分とする水溶液は、こんにゃくの原料である精粉（せいこ）を加熱された水に溶解させて得ることが出来る。マンナンを主成分とする水溶液には、マンナン層と繊維表面との接着力を向上させるためと、マンナン層の形体を安定させるために、アクリル系の水溶性接着剤樹脂あるいはエマルジョン接着剤樹脂の組成物が混入されてもよい。
【００４４】
更に、本発明においては、繊維表面にマンナン層にかえて、アクリル系接着剤組成物と水溶性糊材との混合物が固化した糊材−アクリル系接着剤層が形成されて、その層に芳香剤、抗菌剤、殺菌剤、抗カビ剤、保湿剤、生理的薬剤、タンパク質、多糖類から選択される添加物が含有されていてもよい。糊材−アクリル系接着剤層は水に不溶かつ高い吸水性を有するので、マンナン層と同様に吸水時にその添加物を外部に放出する。
【００４５】
水溶性糊材としては、デンプン糊、ポリビニルアルコール、カルボキシメチルセルロース、アルギン酸ナトリウムが挙げられる。アクリル系接着剤としてはポリアクリル酸エステル系接着剤、ポリアクリルアミド系接着剤が挙げられる。アクリル系接着剤組成物と水溶性糊材との構成比は、１：５〜５：１（重量比）であることが好ましい。アクリル系接着剤組成物の構成比率がこの範囲を超えて小さくなると、糊材−アクリル系接着剤層が水に可溶となり好ましくない。アクリル系接着剤組成物の構成比率がこの範囲を超えて大きくなると、糊材−アクリル系接着剤層の吸水膨潤性が損なわれ好ましくない。芳香剤、抗菌剤、殺菌剤、抗カビ剤、保湿剤、生理的薬剤、タンパク質、多糖類から選択される添加物は、糊材−アクリル系接着剤層に対して０．1〜１０重量％含有されていることが好ましい。
【００４６】
糊材−アクリル系接着剤層は、水溶性糊材とアクリル系接着剤組成物とを主成分とし、添加物が添加された水溶液をベースの糸又は布帛に含浸又は付着させ、糸又は布帛を加熱乾燥することにより形成される。この糊材−アクリル系接着剤層は、水溶性糊材とアクリル系接着剤組成物とが工程時の加熱により、デンプン−アクリル系接着剤樹脂共重合体系の架橋ポリマーとなったものであってもよい
【００４７】
更に、本発明においては、繊維表面に上記のマンナン層や、糊材−アクリル系接着剤層のような吸水膨潤性高分子物質の層にかえて、他の吸水膨潤性高分子物質の層が形成されてもよい。この吸水膨潤性高分子物質の例には、ゼラチン、ポリビニルアルコール、ポリビニルピリドン、寒天、デンプン−ポリアクリル酸塩共重合体系の架橋ポリマー、アクリル酸塩系のポリマー、ポリアクリル酸塩系の架橋ポリマー、アクリル酸−ビニルアルコール共重合体、ポリエチレンオキサイド変成物およびそれらの同類物が挙げられる。
【００４８】
吸水膨潤性高分子物質は水に不溶ではあるが、自己の重量に対する比で、５０重量％以上の水を吸水し膨潤する高分子物質である。この吸水率は３０〜２０００重量％であることが好ましい。吸水率がこの範囲未満であると、膨潤時の機能性添加物の放出が不充分であり、吸水率がこの範囲を超えると濡れたときの手触りがベトつくので、タオル等の直接手で取り扱う用途には不適である。
【００４９】
これらの層に添加される上述の機能性添加物は、樹脂組成物の水溶液に添加され、その樹脂組成物が繊維表面で乾燥、熱、放射線、電磁波又は固化用薬剤等により固化して吸水膨潤性高分子物質の層が繊維表面に形成される。
【００５０】
その他、本発明は、主旨を逸脱しない範囲で当業者の知識に基づき種々なる改良、修正、変更を加えた態様で実施できるものである。
【実施例】
【００５１】
実施例１
ベースの糸条として、１０／２番手の綿糸を用い、図３のような態様により機能性糸を製造した。即ち、コーン１４より綿糸１５を引き出して、ガイド１０を通してガイドロール１２を経て加工槽４４に導入した。加工槽４４には精粉の調整水溶液１８（調整コンニャク糊）を投入した。調整コンニャク糊の水溶液は、マンナンを主成分とするコンニャクの精粉（せいこ）の２．５％水溶液と、キサンタンの１．５％水溶液とを３：２で混合して混合水溶液となし、この混合水溶液にセリシンの微粉末とコラーゲンの微粉末とを混入させて得た。セリシン、コラーゲンは、マンナンに対してそれぞれ５重量％混入された。糸条は、加工槽４４、しぼりロール５５、Ｕ字ガイド１６を経て加熱機４６に導入され、加熱温度９７℃で加熱、乾燥が行なわれ、糸条は機能性糸９となり巻き糸２０として巻き取られた。コンニャク糊の付着量は、綿糸に対して乾燥重量比で１０％であった。巻き取った機能性糸９を、更にスチームセッターにて１１０℃×１０分の湿熱処理を行ない、コンニャク糊の接着を完了させた。
【００５２】
この機能性糸を房糸としてタオルを製織した。得られたタオルは、しなやかで且つサラッとしたタッチの深みのある風合いを有した。又、抗菌性を有し、洗濯後室内で陰干しして長時間湿った状態が持続しても、においがつかなかった。このタオルの吸水率は２５０％であった。又、別途測定した処理前のベースの糸条の吸水率は１６０％であった。吸水率は重量Ｂの試料を常温の水に１０分間浸漬し取り出して余剰の水を除去して計量した試料の重量をAとしたとき、（（Ａ−Ｂ）／Ｂ）％の値である。従って、この値から計算されたマンナン層の吸水率は９６０重量％であった。
【００５３】
このタオルを４０℃の水中で３０分振盪する処理を繰り返した。図４に、この処理の処理回数と、タオルに担持されているマンナン層（セリシン、コラーゲンを含む）の残存率の関係を示す。残存率は、未処理のタオルに担持されているコンニャク糊、セリシン、コラーゲンの総和量（マンナン層の量）に対する処理後のタオルに保持されているその総和量（マンナン層の量）の重量％である。図４から、このタオルは温水中の攪拌に対して安定で、３０回以上水とともに使用することに耐え得ることがわかった。
【００５４】
実施例２
２０／２番手のポリエステル−綿（５０：５０）の混紡糸を実施例１と同様の装置により同様の条件で加工し機能性糸を得た。但し、混合水溶液にセリシンに代えてラベンダーの香料成分をマンナンに対して１重量％加えた。この機能性糸を製織し平織物を得た。この織物はラベンダーの芳香を発し、洗濯をくりかえしてもその芳香が失われなかった。又、この芳香は、この織物が濡れたときに顕著に発せられた。
【００５５】
実施例３
ベース布帛として綿ブロードを用い、精粉の調整水溶液（調整コンニャク糊）を含浸した。調整コンニャク糊の水溶液は、マンナンを主成分とするコンニャクの精粉（せいこ）の１．５％水溶液と、キサンタンの０．５％水溶液とを３：２で混合して混合水溶液となし、この混合水溶液にコラーゲン微粒子と、ヒアルロン酸と、ラベンダーの香料成分を混入させて得た。コラーゲン微粒子は、マンナンに対して２０重量％混入された。ヒアルロン酸は、マンナンに対して５重量％混入された。ラベンダーの香料成分は、マンナンに対して０．２重量％混入された。次いでベース布帛は、加工槽しぼりロールでしぼった後、加熱温度９７℃で加熱、乾燥が行なわれ機能性布帛が得られた。コンニャク糊の付着量は、綿布に対して乾燥重量比で５％であった。
【００５６】
この機能性布帛を顔面パック材の形状に打ち抜き、充分に湿らせてから顔面パックを行なった。湿らせることにより、コラーゲン微粒子と、ヒアルロン酸と、ラベンダーの香料成分が顔面に放出され、好ましい香りの雰囲気でコラーゲン微粒子と、ヒアルロン酸により有効なパック効果が得られた。又、膨潤により、マンナン層が軟化し、パック材と肌との密着性が向上し、パック効果の増大に寄与した。
【００５７】
実施例４
糸条として、１０／２番手の綿糸を用い、図３のような態様により機能性糸を製造した。即ち、コーン１４より綿糸１５を引き出して、ガイド１０を通してガイドロール１２を経て加工槽４４に導入した。加工槽４４にはアクリル系糊材と水溶性糊材を主成分とする調整水溶液１８を投入した。この調整水溶液の水溶液は、コーンスターチ３重量部、アクリル系接着剤３乾燥重量部、水１００重量部、セリシンの微粉末を混入させて得た。セリシンは、水溶性糊材に対して２０重量％混入された。糸条は、加工槽４４、しぼりロール５５、Ｕ字ガイド１６を経て加熱機４６に導入され、加熱温度９７℃で加熱、乾燥が行なわれ、糸条は機能性糸９となり巻き糸２０として巻き取られた。アクリル系糊材と水溶性糊材の付着量は、綿糸に対して乾燥重量比で１０％であった。巻き取った機能性糸９を、更にスチームセッターにて１１０℃×１０分の湿熱処理を行ない、糊材の接着を完了させた。
【００５８】
この機能性糸を房糸としてタオルを製織した。得られたタオルは、しなやかで且つサラッとしたタッチの深みのある風合いを有した。又、抗菌性を有し、洗濯後室内で陰干ししても、においがつかなかった。
【産業上の利用可能性】
【００５９】
本発明の機能性糸及び機能性布帛は、吸水膨潤性を有する高分子の層に担持させる機能性粒子や機能性物質を目的にあわせて選択することにより、パック材、おしぼり、タオルのみならず、カーテン、椅子張り地、カーテン地等のインテリア用品用の生地や、ぬいぐるみ等の玩具用品用の生地、ハンカチ、バッグ等の装身具用の生地、ガーゼ、マスク、絆創膏等の衛生関連用品用の生地、雑巾、モップ等の清掃用品用素材に適用出来る。
【図面の簡単な説明】
【００６０】
【図１】本発明の機能糸の構成の一例を示す説明図である。
【図２】本発明の機能糸の構成の他の一例を示す説明図である。
【図３】本発明の機能糸の製造方法を説明する説明図である。
【図４】本発明の機能糸の温水処理回数とセリシンの残存率の関係を示すグラフである。
【符号の説明】
【００６１】
２、２ａ：機能繊維
４：ベース繊維
６：マンナン層
８：機能性粒子
１０：ガイド
１２：ガイドロール
４４：加工槽
１８：調整水溶液
５５：しぼりロール
１６：Ｕ字ガイド
４６：加熱機
９：機能性糸
２０：巻き糸
【図１】
2005281934.tif 000003
【図２】
2005281934.tif 000004
【図３】
2005281934.tif 000005
【図４】
2005281934.tif 000006